(57)【特許請求の範囲】
【請求項１】
ボード基板と、壁紙とを有する建築用壁材ボードであって、
ボード基板は、２枚以上を並べて建物の壁面に釘打ちされる方形の板材であり、板面に壁紙貼着領域と、露出領域とを有し、
壁紙貼着領域は、板面の中央部分であり、予め壁紙が貼り付けられ、
露出領域は、釘打ちなどのために板面の縁から一定の幅で板面を露出させた部分であり、
壁紙は、ボード基板の壁紙貼着領域に貼り付けられ、張出部とせり出し部とを有し、張出部と、せり出し部とは、壁紙の上下縁及び左右縁にそれぞれ対をなして設けられ、
張出部は、壁紙貼着領域からボード基板の露出領域上の一部に張り出させた一方の端の部分であり、
せり出し部は、壁紙貼着領域から露出領域を越えてボード基板より外方にせり出させた他方の端の部分であり、
張出部と、せり出し部との裏面には、再湿糊が塗布されていることを特徴とする建築用壁材ボード。
【請求項２】
ボード基板の露出領域は、ボード基板の突き合わせ部分をパテ埋めするパテへらのサイズに応じて幅５０ｍｍ〜２００ｍｍに設定されているものであることを特徴とする請求項１に記載の建築用壁材ボード。
【請求項３】
釘打ち処理と、仮付け処理と、重ね切り処理と、定着処理とを有する建築用壁材ボードの施工方法であって、
釘打ち処理は、請求項１に記載された２以上の建築用壁材ボードを、それぞれの露出領域を通して打ち込まれた釘、ビスなどによって建物の柱部材などに打ち込んで建物の壁面に固定する処理であり、
仮付け処理は、一方の建築用壁材ボードに貼り付けられた壁紙のせり出し部を他方の建築用壁材ボードの露出領域の一部を覆う張出部上に重ね合わせ、壁紙のせり出し部及び壁紙の張出部の再湿糊の塗布面に給水して再湿糊を活性化し、これを建築用壁材ボードの露出領域に仮に接着させる処理であり、
重ね切り処理は、建築用壁材ボードの露出領域上に重ねられた壁紙のせり出し部と張出部との重合部分を切断線にて切断し、再湿糊の接着力が未だ不十分の間に張出部の切断線より先の壁紙の部分と、せり出し部の切断線より先の壁紙の部分を不要部分として除去する処理であり、
定着処理は、再湿糊の接着力によって壁紙のせり出し部と張出部とを突き合わせて建築用壁材ボードの露出領域上に定着させる処理であることを特徴とする建築用壁材ボードの施工方法。
【発明の詳細な説明】
【０００１】
【発明の属する技術分野】
本発明は、建築物の壁面に貼り付ける壁材ボードとその施工方法に関する。
【０００２】
【従来の技術】
建物の内装壁面には板材が張られ、内装仕上げ用としてその表面に壁紙が張り付けられる。従来の壁面内装施工方法は、施工現場において、専用の糊付け機を用いて壁紙の表面全体に接着剤を塗布し、これを壁面の板面に貼り付ける作業を行なうのが一般的である。
【０００３】
ところが、この様な方法によるときには、壁紙の表面にさらに他の内装仕上げを行なう場合には、壁紙に塗布された糊が乾燥するまで待機する必要があり、内装仕上げを完了するまでに時間がかかるという理由から、図４に示すように、四辺形の板材からなるボード基板１３ａと、化粧ボード１１の四辺のうちボード基板１３ａを建築物内の壁面に取付ける際に他のボード基板１３ｂが隣接する少なくとも一辺に相当する部分にその一辺の側面よりもせり出させて予めボード基板１３ａに接着された化粧クロス１４ａ（壁紙）とを有する建築用化粧ボード１１ａ、１１ｂを用いる方法を提案している（特開平８−１３５１３０号公報（先行例１）参照）。
【０００４】
この方法に用いられる化粧クロス１４ａには、化粧クロスのせり出された部分からボード基板１３ａの側面より内側に所定の寸法ずれた位置までにボード基板１３ａを壁面に取付けた後に接着剤２３が塗布された後付け用縁部１８ａが形成されている。
【０００５】
そして、先行例１の建築用化粧ボードは、以下の手順によって施工することが明らかにされている。すなわち、図４において、まず、内装仕上げが行なわれる壁面を構成する柱部材２０に釘２１を用いて図４（Ａ）に示すようにボード基板１３ａ、１３ｂを打ち付ける。ついで、相互に隣接するボード基板１３ａ、１３ｂの間の目地の部分にパテ２２を埋め込み、隣接相互間のボード基板１３ａ、１３ｂが平坦となるように目地の表面を仕上げる。
【０００６】
そして、図４（Ｂ）に示すように、一方のボード基板１３ａに接着された化粧クロス１４ａの後付け用縁部１８ａを他方のボード基板１３ｂの表面に接着剤２３を用いて接着する。次いで、図４（Ｃ）に示すように、他方のボード基板１３ｂに接着された化粧クロス１４ｂの後付け用縁部１８ｂを一方のボード基板１３ａの表面に接着剤２３を用いて接着する。そして同図に示すように、切断線２４の部分でカッターを用いて切り込む。
【０００７】
ただし、この切断線２４の位置は、目地の部分に限らず、一方の化粧ボード１１ａ又は１１ｂの縁部としてもよい。化粧クロス１４ａの縁部は、本体部分から切り離され、化粧クロス１４ｂの縁部も本体部分から切り離される。そこで、化粧クロス１４ｂの切断された縁部を化粧クロス１４ａの表面から取り除くとともに、化粧クロス１４ｂの内側に残った化粧クロス１４ａの縁部をボード基板１３ｂの表面から取り除く。これにより、図４（Ｄ）に示すように、相互に隣接するボード基板１３ａ、１３ｂの上の化粧クロス１４ａ、１４ｂが同一面となる、というのである。
【０００８】
【発明が解決しようとする課題】
ところで、重ね切りの位置として、先行例１によれば、化粧クロスの切断線２４は、目地の部分に限らず、一方の化粧ボード１１ａ又は１１ｂの縁部としてもよいとしているが、実際に目地の部分で重ね切りをしたときには、化粧クロスの切断線を美麗に仕上げることが難しい。
【０００９】
このため、化粧クロスは、一方の化粧ボード１１ａ又は１１ｂの縁部上で重ね切りを行なうのが望ましいが、先行例１の構造によるときには、切断線２４の位置が目地の上にあるのかどうかを判別できないから、目地を外れた位置に重ね切りの位置を特定することは必ずしも容易ではない。この点、特開平５−３２１４２８号公報（先行例２）によるときには、壁紙（化粧クロス）の重ね切りの位置を目地の位置から確実に外すことができる。
【００１０】
先行例２は、図５に示すように各ユニット内壁（３１，３１’）の表面には、継ぎ目（３２）付近で終端する合成樹脂壁紙（３３，３３’）が貼着されており、壁紙（３３）の端部（３３ａ）は壁紙（３３’）の端部（３３’ａ）と重なる位置にまで延長し、その下面に接着剤（３６）が順次積層されている、というものである。重ね合わされた両端部３３ａ、３３’ａはカッターで切断され、切断された不要端縁部は除去される。
【００１１】
先行例２によれば、一方のユニット内壁３１の壁紙３３は、ユニット内壁３１、３１’の継ぎ目３２を越えて他方のユニット内壁３１’の壁紙３３’上に重ねられるため、切断個所は、確実にユニット内壁３１’の上面となって、継ぎ目の位置で重ね切りされることはない。また、先行例２においては、ユニット内壁の継ぎ目には合成樹脂壁紙が貼着されないため、ユニット内壁の継ぎ目付近に歪力がかかっても合成樹脂壁紙に亀裂が生ずることがないという効果が強調されているが、いずれにしても壁紙の一部は、ユニット内壁の板面に未貼着となって板面から浮き上がっていることには違いないのである。
【００１２】
本発明の目的は、重ね切りの際に、壁紙の切断位置がボード基板の継ぎ目にかからず、しかも簡単な作業で壁紙をボード基板の全面に定着し得る建築用壁材ボード及びその施工方法を提供することにある。
【００１３】
【課題を解決するための手段】
本発明による建築用壁材ボードにおいては、ボード基板と、壁紙とを有する建築用壁材ボードであって、
ボード基板は、２枚以上を並べて建物の壁面に釘打ちされる方形の板材であり、板面に壁紙貼着領域と、露出領域とを有し、
壁紙貼着領域は、板面の中央部分であり、予め壁紙が貼り付けられ、
露出領域は、釘打ちなどのために板面の縁から一定の幅で板面を露出させた部分であり、
壁紙は、ボード基板の壁紙貼着領域に貼り付けられ、張出部とせり出し部とを有し、張出部と、せり出し部とは、壁紙の上下縁及び左右縁にそれぞれ対をなして設けられ、
張出部は、壁紙貼着領域からボード基板の露出領域上の一部に張り出させた一方の端の部分であり、
せり出し部は、壁紙貼着領域から露出領域を越えてボード基板より外方にせり出させた他方の端の部分であり、
張出部と、せり出し部との裏面には、再湿糊が塗布されているものである。
【００１５】
また、ボード基板の露出領域は、ボード基板の突き合わせ部分をパテ埋めするパテへらのサイズに応じて幅５０ｍｍ〜２００ｍｍの範囲に設定されているものである。
【００１６】
また、釘打ち処理と、仮付け処理と、重ね切り処理と、定着処理とを有する建築用壁材ボードの施工方法であって、
釘打ち処理は、請求項１に記載された２以上の建築用壁材ボードを、それぞれの露出領域を通して打ち込まれた釘、ビスなどによって建物の柱部材などに打ち込んで建物の壁面に固定する処理であり、
仮付け処理は、一方の建築用壁材ボードに貼り付けられた壁紙のせり出し部を他方の建築用壁材ボードの露出領域の一部を覆う張出部上に重ね合わせ、壁紙のせり出し部及び壁紙の張出部の再湿糊の塗布面に給水して再湿糊を活性化し、これを建築用壁材ボードの露出領域に仮に接着させる処理であり、
重ね切り処理は、建築用壁材ボードの露出領域上に重ねられた壁紙のせり出し部と張出部との重合部分を切断線にて切断し、再湿糊の接着力が未だ不十分の間に張出部の切断線より先の壁紙の部分と、せり出し部の切断線より先の壁紙の部分を不要部分として除去する処理であり、
定着処理は、再湿糊の接着力によって壁紙のせり出し部と張出部とを突き合わせて建築用壁材ボードの露出領域上に定着させる処理である。
【００１７】
【発明の実施の形態】
以下に本発明の実施の形態を図によって説明する。図１に本発明による建築用壁材ボードの一例を示す。図１において、本発明による建築用壁材ボードは、ボード基板１と、壁紙２との組合わせからなるものである。ボード基板１は、建物の壁面にそって２枚以上を平行に並べ、図３のように建物の柱部材３などに釘打ちされる方形の板材である。
【００１８】
通常の場合、ボード基板１には石膏ボードが使用されるが、かならずしも石膏ボードに限らず、ベニア板、チップボードなどの板材が用いられることもある。
ボード基板１の板面は、壁紙貼着領域４と、露出領域５とに区画されている。壁紙貼着領域４は、板面の中央領域の方形の部分であり、壁紙貼着領域５には、予め壁紙２が貼り付けられている。
【００１９】
露出領域５は、釘打ちなどのために板面の縁から一定の幅で板面を露出させた部分であり、露出領域５には、施工前の建築用壁材ボードとして壁紙２は予め貼り付けられていない。単に、左右方向に並べて壁面に貼り付けるボード基板においては、図１に示すように横方向に３区画して中央領域に壁紙貼着領域４、左右領域に露出領域５を形成すればよいが、通常の場合、ボード基板１は縦横に配列されるため、図２のように、中央の区画に壁紙貼着領域４、上下、左右の領域に露出領域５が形成される。
【００２０】
以下の説明においては、説明を簡単にするため、図１に示すボード基板に適用した例を説明する。壁紙２は、ビニル壁紙、紙壁紙、不織布壁紙、織物壁紙などが用いられ、ボード基板１の壁紙貼着領域４に貼り付けられる部分のほかに、張出部６とせり出し部７とを有している。張出部６は、ボード基板１の露出領域５上の一部に張り出させた一方の端の部分であり、せり出し部７は、露出領域５を越えてボード基板１より外方にせり出させた他方の端の部分である。
【００２１】
張出部と、せり出し部は、建築用壁材ボードを壁面に施工後、ボード基板の板面に貼り付けられる部分であり、張出部６と、せり出し部７の裏面には、再湿糊Ｇが塗布されている。
【００２２】
本発明において、再湿糊とは、例えば、切手等の裏面に使用されるものであって、水溶性の高分子材料、例えば、ポリビニルアルコール、澱粉、水溶性アクリル系樹脂等を主成分として構成されたものである。再湿糊は、完全な溶解型水溶液の状態で、本発明における壁紙の裏面部、少なくとも張出部とせり出し部に塗布される。
【００２３】
壁紙貼着領域においては、通常使用される壁紙用糊にて壁紙を貼着しても、あるいは、張出部やせり出し部と同じように再湿糊を使用して貼着してもよい。壁紙の裏面側に塗布された再湿糊層は、塗布後乾燥されて、連続性のフィルムのような状態で層が形成され、この層は粘着性等を有さない層となる。実際に、施工するに際しては、この再湿糊層を布やウレタンスポンジにより水で湿らせることにより、再度接着性を有する層となり、これにより、本発明の板面の露出領域に貼着施工される。
【００２４】
再湿糊は、再湿潤時に、接着性を有するものとなるが、この接着性能は、再湿糊により、異なっており、直ちに所望の接着強度を得るものや、徐々に接着強度が強くなり最終的に所望接着強度に達するもの等があるが、建築用壁材ボードの施工状態等により適宜選択される。
【００２５】
ボード基板１の露出領域５の幅は、５０〜２００ｍｍの範囲に設定される。この範囲は、ボード基板１の突き合わせ部分をパテ埋めするときに用いるパテへらのサイズに応じて設定されたものである。
【００２６】
本発明による建築用壁材ボードは、釘打ち処理と、仮付け処理と、重ね切り処理と、定着処理とを順次実行することによって実現される。釘打ち処理は、前記ボード基板を建物の壁面に固定する処理である。図３（Ａ）において、２以上のボード基板１，１’は、それぞれの露出領域５、５’を通して釘、ビスなど８が建物の柱部材３などに打ちこまれて建物の壁面に固定される。
【００２７】
図３（Ｂ）において、仮付け処理は、一方のボード基板１に貼り付けられた壁紙２のせり出し部７を他方のボード基板１’の露出領域５’の一部を覆う張出部６’上に重ね合わせる処理である。仮付け処理に先だってパテ埋め処理を行なうことがある。パテ埋め処理は、互いに隣接するボード基板１，１’の突き合わせ部分９にパテを埋め込む均す処理である。パテ埋め処理を施すことによって、隣接するボード基板１，１’間の平坦性が確保される。
【００２８】
もっとも、パテ埋め処理は、必要に応じて行われる処理であって、必ずしも行なわなければならない処理ではない。なお、仮付け処理において、一方のボード基板１の壁紙２のせり出し部７を他方のボード基板１’の張出部６’上に重ね合わせるに際しては、壁紙２のせり出し部７及び壁紙２’の張出部６’の再湿糊Ｇの塗布面に給水して再湿糊Ｇを活性化し、これをボード基板１，１’の露出領域５、５’に仮に接着させることによって行なう。
【００２９】
仮付け処理に次いで重ね切り処理を行なう。図３（Ｃ）において、重ね切り処理は、ボード基板１’の露出領域５’上に重ねられた壁紙２のせり出し部７と、壁紙２’の張出部６’との重合部分を切断線Ｃにて切断し、切断された壁紙２の不要部分を除去する処理である。切断された壁紙２の不要部分とは、張出部６’の切断線より先の壁紙２’の部分と、せり出し部７の切断線より先の壁紙２の部分である。
【００３０】
切断された壁紙２、２’の不要部分の除去は、再湿糊Ｇの接着力が未だ不十分で剥離可能な間に完了する。重ね切り処理の後に定着処理を行なう。定着処理は、再湿糊Ｇの接着力によって壁紙２のせり出し部７の端縁と壁紙２の張出部６’の端縁とを切断位置１０にて突き合わせ、壁紙２、２’をボード基板１、１’上に定着させる処理である。図３（Ｄ）において、壁紙２のせり出し部７と張出部６’に塗布された再湿糊Ｇは、水分が蒸発するにしたがって、接着力を発揮し、ボード基板１上に定着し、相互に隣接するボード基板１、１’上の壁紙２のせり出し部７と壁紙２’の張出部６’とが突き合わされて同一面となる。
【００３１】
【発明の効果】
以上のように本発明による建築用壁材ボードは、ボード基板と壁紙との組合わせを有し、ボード基板には予め壁紙が貼り付けられ、壁紙には、ボード基板の壁紙貼着領域に貼り付けられる部分のほかに、再湿糊を塗布した張出部とせり出し部とを設けたので、施工現場において、釘打ち処理と、仮付け処理と、重ね切り処理と、定着処理とを順次に行なって能率良く壁面の内装仕上げを行なうことができる。
【００３２】
特に、互いに隣接して壁面に配列したボード基板上で張出部とせり出し部に給水して再湿糊を活性化すればよいため、現場での接着剤の塗布作業は一切不要となり、重ね切り処理やこれに引き続く定着処理は、吸水した再湿糊が乾燥して固化するまでの仮付け状態で行なうことができるため、重ね切りによる壁紙の両切断端面をそろえて美麗に仕上げることができる効果を有する。
【図面の簡単な説明】
【図１】（Ａ）は、本発明による建築用壁材ボードの一実施形態を示す正面図、（Ｂ）は、端面図である。
【図２】本発明による建築用壁材ボードの他の実施形態を示す正面図である。
【図３】（Ａ）〜（Ｄ）は、本発明による建築用壁材ボードの施工例を順に示す図である。
【図４】先行例１の施工順序を示す図である。
【図５】先行例２の施工例を示す図である。
【符号の説明】
１  ボード基板
２  壁紙
３  柱部材
４  壁紙貼着領域
５  露出領域
６  張出部
７  せり出し部
８  釘、ビスなど
９  突き合わせ部分
１０  切断位置
Ｇ  再湿糊
【図１】
0004446573.tif 000002
【図２】
0004446573.tif 000003
【図３】
0004446573.tif 000004
【図４】
0004446573.tif 000005
【図５】
0004446573.tif 000006